(57)【要約】  【課題】  印刷ジョブの操作が容易な画像形成システムを提供する。  【解決手段】  クライアント端末１０は、所定のファイルがアプリケーションプログラムにより開かれた状態で印刷指示を受け付けると、プリンタドライバ１００を呼び出す。呼び出されたプリンタドライバ１００は、印刷ジョブの生成時と同じ受付画面９００を表示して、ユーザＩＤ及びファイル名が同一の先行ジョブに対する操作指示を受け付け、受け付けた操作指示に対応する操作ジョブを生成してプリントサーバ２０に送信する。【選択図】図３
2009230379.tif 000002
【特許請求の範囲】
【請求項１】
プリンタドライバがインストールされた情報処理装置であって、
文書ファイルに対する画像形成処理の要求指示により前記プリンタドライバが呼び出された場合に、この文書ファイルに関連する送出済みの画像形成処理要求に対する操作指示を受け付ける操作受付手段と、
前記操作受付手段により受け付けられた操作指示に基づいて、前記画像形成処理要求に対する操作命令を生成する命令生成手段と、
前記命令生成手段により生成された操作命令とともに画像形成処理の要求を出力する出力手段と
を有する情報処理装置。
【請求項２】
前記命令生成手段は、前記文書ファイルのファイル名を含む操作命令を生成する
請求項１に記載の情報処理装置。
【請求項３】
前記命令生成手段は、前記送出済みの画像形成処理要求の削除を指定する操作命令を生成する
請求項１又は２に記載の情報処理装置。
【請求項４】
文書ファイルの画像形成処理を要求する情報処理装置と、この情報処理装置からの要求を保持する要求保持装置と、この要求保持装置に保持されている要求に応じて画像を形成する画像形成装置とを含む画像形成システムであって、
前記情報処理装置は、
文書ファイルに対する画像形成処理の要求指示によりプリンタドライバが呼び出された場合に、この文書ファイルに関連する送出済みの画像形成処理要求に対する操作指示を受け付ける操作受付手段と、
前記操作受付手段により受け付けられた操作指示に基づいて、前記画像形成処理要求に対する操作命令を生成する命令生成手段と、
前記命令生成手段により生成された操作命令とともに画像形成処理の要求を出力する出力手段と
を有し、
前記要求保持装置は、
前記プリンタドライバから送出された画像形成要求を保持する要求保持手段と、
前記出力手段により出力された画像形成処理要求に含まれる操作指示に応じて、前記要求保持手段により保持されている画像形成要求を操作する操作手段と
を有する
画像形成システム。
【請求項５】
文書ファイルに対する画像形成処理の要求指示によりプリンタドライバが呼び出された場合に、この文書ファイルに関連する送出済みの画像形成処理要求に対する操作指示を受け付け、
前記受け付けられた操作指示に基づいて、前記画像形成処理要求に対する操作命令を生成し、
前記生成された操作命令とともに画像形成処理の要求を出力する
ジョブ管理方法。
【請求項６】
画像形成処理に関する命令を生成する情報処理装置において、
文書ファイルに対する画像形成処理の要求指示によりプリンタドライバが呼び出された場合に、この文書ファイルに関連する送出済みの画像形成処理要求に対する操作指示を受け付けるステップと、
前記受け付けられた操作指示に基づいて、前記画像形成処理要求に対する操作命令を生成するステップと、
前記生成された操作命令とともに画像形成処理の要求を出力するステップと
を前記情報処理装置に実行させるプログラム。
【発明の詳細な説明】
【技術分野】
【０００１】
本発明は、情報処理装置、画像形成システム、ジョブ管理方法及びプログラムに関する。
【背景技術】
【０００２】
例えば、特許文献１には、親展印刷キュー内に、同一ユーザによる古い親展印刷要求が制限数以上ある場合に、このユーザによる新たな親展印刷要求を拒否する印刷システムが開示されている。
また、特許文献２には、ヘッダにプリントジョブのキャンセル指示を含ませたダミー印刷データのキャンセルパケットを生成しプリンタに送信する情報処理装置が開示されている。
また、特許文献３には、クライアントのＩＰアドレスなどによって、キューイングされた印刷ジョブの中から類似ジョブを検索し、検索された類似ジョブの削除や置換を行うネットワークシステムが開示されている。
【特許文献１】特開２００３−１３１８５４号公報
【特許文献２】特許３８１７３８７号公報
【特許文献３】特開平１１−０９５９４２号公報
【発明の開示】
【発明が解決しようとする課題】
【０００３】
本発明は、指示済みで保持状態にあるジョブに対する操作を容易にすることを目的とする。
【課題を解決するための手段】
【０００４】
請求項１に係る本発明は、プリンタドライバがインストールされた情報処理装置であって、文書ファイルに対する画像形成処理の要求指示により前記プリンタドライバが呼び出された場合に、この文書ファイルに関連する送出済みの画像形成処理要求に対する操作指示を受け付ける操作受付手段と、前記操作受付手段により受け付けられた操作指示に基づいて、前記画像形成処理要求に対する操作命令を生成する命令生成手段と、前記命令生成手段により生成された操作命令とともに画像形成処理の要求を出力する出力手段とを有する。
【０００５】
請求項２に係る本発明では、前記命令生成手段は、前記文書ファイルのファイル名を含む操作命令を生成する。
請求項３に係る本発明では、前記命令生成手段は、前記送出済みの画像形成処理要求の削除を指定する操作命令を生成する。
【０００６】
請求項４に係る本発明は、文書ファイルの画像形成処理を要求する情報処理装置と、この情報処理装置からの要求を保持する要求保持装置と、この要求保持装置に保持されている要求に応じて画像を形成する画像形成装置とを含む画像形成システムであって、前記情報処理装置は、文書ファイルに対する画像形成処理の要求指示によりプリンタドライバが呼び出された場合に、この文書ファイルに関連する送出済みの画像形成処理要求に対する操作指示を受け付ける操作受付手段と、前記操作受付手段により受け付けられた操作指示に基づいて、前記画像形成処理要求に対する操作命令を生成する命令生成手段と、前記命令生成手段により生成された操作命令とともに画像形成処理の要求を出力する出力手段とを有し、前記要求保持装置は、前記プリンタドライバから送出された画像形成要求を保持する要求保持手段と、前記出力手段により出力された画像形成処理要求に含まれる操作指示に応じて、前記要求保持手段により保持されている画像形成要求を操作する操作手段とを有する。
【０００７】
請求項５に係る本発明は、文書ファイルに対する画像形成処理の要求指示によりプリンタドライバが呼び出された場合に、この文書ファイルに関連する送出済みの画像形成処理要求に対する操作指示を受け付け、前記受け付けられた操作指示に基づいて、前記画像形成処理要求に対する操作命令を生成し、前記生成された操作命令とともに画像形成処理の要求を出力する。
【０００８】
請求項６に係る本発明は、画像形成処理に関する命令を生成する情報処理装置において、文書ファイルに対する画像形成処理の要求指示によりプリンタドライバが呼び出された場合に、この文書ファイルに関連する送出済みの画像形成処理要求に対する操作指示を受け付けるステップと、前記受け付けられた操作指示に基づいて、前記画像形成処理要求に対する操作命令を生成するステップと、前記生成された操作命令とともに画像形成処理の要求を出力するステップとを前記情報処理装置に実行させる。
【発明の効果】
【０００９】
本発明によれば、指示済みで保持状態にあるジョブに対する操作が容易になる。
【発明を実施するための最良の形態】
【００１０】
図１は、画像形成システム１を例示する図である。
図１に例示するように、本実施形態に係る画像形成システム１は、印刷要求を行うクライアント端末１０と、印刷要求を中継するプリントサーバ２０と、プリンタ３０とを含んで構成される。クライアント端末１０は情報処理装置の一例であり、プリントサーバ２０は、要求保持装置の一例である。なお、画像形成装置としては、プリンタ３０のほか、複合機等であってもよい。
【００１１】
クライアント端末１０は、例えば、プリンタドライバ１００（後述）がインストールされたコンピュータ装置であり、ＬＡＮなどのネットワークに接続されている。クライアント端末１０は、利用者（ユーザ）の操作に応じて、印刷要求（印刷ジョブ）を生成し、生成された印刷ジョブをプリントサーバ２０に送信する。ここで、印刷ジョブとは、画像形成装置に対して画像形成処理を指示するためのデータファイルである。
【００１２】
プリントサーバ２０は、例えば、サーバプログラム２００（後述）がインストールされたサーバ装置であり、クライアント端末１０と同一のＬＡＮに接続されている。プリントサーバ２０は、クライアント端末１０から受信した印刷要求（印刷ジョブ）を所定のタイミングまで保持し、保持されていた印刷ジョブをプリンタ３０に送信する。本実施形態では、プリントサーバ２０は、プリンタ３０から印刷ジョブが要求された場合に、要求された印刷ジョブをプリンタ３０に送信する形態（以下、親展印刷モード）を具体例として説明する。親展印刷モードでは、プリンタ３０は、ユーザの認証（パスワード認証、生体認証、又はカード認証など）を行い、認証に成功した場合に、プリントサーバ２０に対して印刷ジョブを要求する。
なお、本実施形態では、プリントサーバ２０がプリンタ３０と別体である形態を具体例として説明するが、これに限定されるものではなく、例えば、プリントサーバ２０の機能がプリンタ３０の内部に設けられてもよい。
【００１３】
プリンタ３０は、プリントサーバ２０から受信した印刷ジョブに従って、印刷処理（画像形成処理）を行う。
【００１４】
本画像形成システム１では、必要に応じて、印刷ジョブに対する操作がなされる。より具体的には、クライアント端末１０は、ユーザの指示に応じて、既に印刷要求が送出された印刷ジョブ（以下、先行ジョブ）を操作するためのジョブ（以下、操作ジョブ）を生成し、生成された操作ジョブをプリントサーバ２０に送信する。プリントサーバ２０は、クライアント端末１０から受信した操作ジョブに従って、保持されている印刷ジョブの中から、操作対象となる印刷ジョブ（先行ジョブ）を特定し、特定された印刷ジョブに対する操作を行う。
【００１５】
図２は、プリンタドライバ１００及びサーバプログラム２００の機能構成を例示する図である。なお、プリンタドライバ１００は、クライアント端末１０にインストールされており、サーバプログラム２００は、プリントサーバ２０にインストールされている。
【００１６】
図２に例示するように、プリンタドライバ１００は、呼出検知部１０２、指示受付部１０４、ジョブ生成部１０６、操作命令生成部１０８、及びジョブ送信部１１０を有する。
サーバプログラム２００は、ジョブ受信部２０２、ジョブ管理部２０４、ジョブ保持部２０６、及びジョブ操作部２０８を有する。
【００１７】
プリンタドライバ１００において、呼出検知部１０２は、アプリケーションプログラムからの呼出しを検知する。
本例の呼出検知部１０２は、アプリケーションプログラムからの呼出しを検知すると、このアプリケーションプログラムの種類（バージョン情報が含まれる場合もある）、このアプリケーションプログラムのユーザ、及び、このアプリケーションプログラムで開かれているファイルを特定する。
【００１８】
指示受付部１０４は、呼出検知部１０２によりアプリケーションプログラムからの呼出しが検知された場合に、このアプリケーションプログラムに対応する操作指示の受付画面をクライアント端末１０のモニタに表示させて、ユーザからの指示を受け付ける。
本例の指示受付部１０４は、呼出検知部１０２によりアプリケーションプログラムからの呼出しが検知された場合に、呼出検知部１０２により特定されたファイルに対する操作指示を受け付ける。
【００１９】
ジョブ生成部１０６は、指示受付部１０４により印刷指示が受け付けられた場合に、受け付けた印刷要求に応じて、印刷ジョブを生成する。印刷ジョブには、印刷すべき文書ファイルのプリントデータ（すなわち、呼出検知部１０２により特定されたファイル）と、ユーザが選択した印刷条件を特定するためのオプション情報（例えば、カラー印刷／白黒印刷、印刷用紙サイズ、印刷部数、片面印刷／両面印刷など）と、印刷を指示したユーザを特定するためのユーザＩＤと、印刷すべき文書ファイルのファイル名（すなわち、呼出検知部１０２により特定されたファイルのファイル名）とが含まれている。なお、ファイル名には、例えば、拡張子などの形式で、当該ファイルに関連付けられているアプリケーションプログラムの識別情報が含まれている。
【００２０】
操作命令生成部１０８は、指示受付部１０４により先行ジョブに対する操作指示が受け付けられた場合に、受け付けた操作指示に応じて、先行ジョブに対する操作命令が含まれたジョブ（操作ジョブ）を生成する。操作ジョブには、操作内容を指定する操作命令と、操作対象を特定するための情報（例えば、ユーザＩＤ、及び、ファイル名など）とが含まれている。この場合も、ファイル名には、拡張子などの形式で、当該ファイルに関連付けられたアプリケーションプログラムの識別情報が含まれている。
【００２１】
ジョブ送信部１１０は、ジョブ生成部１０６により生成された印刷ジョブ、又は、操作命令生成部１０８により生成された操作ジョブを、プリントサーバ２０に送信する。
【００２２】
サーバプログラム２００において、ジョブ受信部２０２は、クライアント端末１０（プリンタドライバ１００）から、ジョブファイル（印刷ジョブ又は操作ジョブ）を受信する。
【００２３】
ジョブ管理部２０４は、ジョブ受信部２０２により受信したジョブファイル（印刷ジョブ及び操作ジョブ）の入出力を行う。
本例のジョブ管理部２０４は、ジョブ受信部２０２により印刷ジョブが受信された場合には、受信した印刷ジョブをジョブ保持部２０６に出力し、ジョブ受信部２０２により操作ジョブが受信された場合には、受信した操作ジョブをジョブ操作部２０８に出力する。また、本例のジョブ管理部２０４は、プリンタ３０から印刷ジョブを要求されると、要求された印刷ジョブをジョブ保持部２０６から取得して、取得した印刷ジョブをプリンタ３０に送信する。
【００２４】
ジョブ保持部２０６は、ジョブ受信部２０２により受信した印刷ジョブを、プリントサーバ２０の記録領域に保持する。
本例のジョブ保持部２０６は、ジョブ受信部２０２により受信した印刷ジョブを、プリンタ３０から要求されるまで、ジョブリストに登録して保持する。
【００２５】
ジョブ操作部２０８は、ジョブ受信部２０２により操作ジョブを受信した場合に、受信した操作ジョブに従って、ジョブ保持部２０６により保持されている印刷ジョブ（すなわち、先行ジョブ）に対して操作を行う。
本例のジョブ操作部２０８は、ジョブ受信部２０２により操作ジョブが受信されると、操作ジョブに含まれる先行ジョブの文書ファイルとの関連を示す情報であるユーザＩＤやファイル名（拡張子を含む）に基づいて、ユーザＩＤ、ファイル名、及び、拡張子（すなわち、関連付けられたアプリケーションプログラム）が一致する印刷ジョブを、ジョブ保持部２０６により保持されている印刷ジョブの中から検索し、ユーザＩＤ、ファイル名や拡張子が一致する印刷ジョブに対して、操作ジョブに含まれる操作命令に対応する操作を行う。
【００２６】
図３は、指示受付部１０４により表示される受付画面９００を例示する図である。
図３に例示するように、本例の指示受付部１０４は、クライアント端末１０のモニタ上に、操作指示を受け付けるための受付画面９００を表示させて、先行ジョブに対する操作指示を受け付ける。受付画面９００は、それぞれのアプリケーションプログラムにおいて印刷指示操作を行った場合に、当該アプリケーションプログラムからプリンタドライバ１００が呼び出されて表示されるプリンタプロパティである。すなわち、本例の指示受付部１０４は、同じ受付画面９００を介して、印刷ジョブの生成に必要な印刷指示と、操作ジョブの生成に必要な操作指示との両方を受け付ける。
先行ジョブに対する操作の内容は、例えば、プルダウンメニューとして表示されるジョブ操作メニュー９０２の中から、所望の操作内容を選択することにより指定される。本例のジョブ操作メニュー９０２には、先行ジョブの削除を行うジョブ削除（図中の「ＪＯＢ削除」）と、先行ジョブを本印刷ジョブで置換するジョブ置換（図中の「ＪＯＢ差し替え」）と、先行ジョブの親展印刷モードを解除させるダイレクトプリント（図中の「ダイレクト印刷」）と、先行ジョブの優先順位を繰り上げる優先印刷（図中の「ＪＯＢリストの先頭へ」）とが設けられている。なお、ジョブ操作は、これらに限定されるものではなく、例えば、先行ジョブと同じ印刷ジョブを繰り返させる再印刷なども、ジョブ操作メニュー９０２に含まれていてもよい。
【００２７】
図４は、各操作ジョブに含まれる情報を例示する図である。
図５は、操作命令生成部１０８により生成される操作ジョブを例示する図である。
図４に例示するように、ジョブ削除の操作ジョブには、ユーザＩＤと、ジョブ名（すなわち、拡張子が含まれたファイル名）とが含まれる。この操作ジョブは、例えば、図５（Ａ）に例示するジョブ削除命令を含み、プリントサーバ２０（ジョブ操作部２０８）は、この操作ジョブに従って、ユーザＩＤ及びファイル名（拡張子を含む）が一致する先行ジョブを、ジョブリストから削除する。
また、図４に例示するように、オプション情報の変更のみを行うジョブ置換の場合、ジョブ置換の操作ジョブには、ユーザＩＤ及びジョブ名に加えて、オプション情報が含まれる。この操作ジョブは、例えば、図５（Ｂ）に例示するオプション情報変更命令を含み、プリントサーバ２０（ジョブ操作部２０８）は、この操作ジョブに従って、ユーザＩＤ及びファイル名（拡張子を含む）が一致する先行ジョブのオプション情報を、この操作ジョブに含まれるオプション情報で書き換える。
また、図４に例示するように、ダイレクトプリントの操作ジョブには、ユーザＩＤと、ジョブ名とが含まれる。プリントサーバ２０（ジョブ操作部２０８）は、この操作ジョブに従って、ユーザＩＤ及びファイル名（拡張子を含む）が一致する先行ジョブの親展印刷モードを解除して、この先行ジョブ（印刷ジョブ）を、ただちにプリンタ３０へ送信する。
また、図４に例示するように、プリントデータの差し替えを伴うジョブ置換の場合、ジョブ置換の操作ジョブには、ユーザＩＤと、ジョブ名と、オプション情報と、印刷内容データ（プリントデータ）とが含まれる。すなわち、ジョブ置換の操作ジョブには、ジョブ置換を指示する命令と、印刷ジョブとが含まれる。この操作ジョブは、図５（Ｃ）に例示するジョブ置換命令を含み、プリントサーバ２０（ジョブ操作部２０８）は、ユーザＩＤ及びファイル名（拡張子を含む）が一致する先行ジョブを、この操作ジョブに含まれる印刷ジョブで置換する。
また、図４に例示するように、再印刷の操作ジョブには、ユーザＩＤと、ジョブ名とが含まれる。プリントサーバ２０（ジョブ操作部２０８）は、この操作ジョブに従って、ユーザＩＤ及びファイル名（拡張子を含む）が一致する先行ジョブと同一の印刷ジョブをジョブリストに追加する。
【００２８】
次に、画像形成システム１の動作例を説明する。本例では、ジョブファイル（印刷ジョブ又は操作ジョブ）がクライアント端末１０で生成され、生成されたジョブファイルがプリントサーバ２０を経由してプリンタ３０に投入される形態を具体例として説明する。
まず、クライアント端末１０の動作を説明する。
図６は、クライアント端末１０の動作（Ｓ１０)を例示するフローチャートである。
図６に示すように、ステップ１００（Ｓ１００）において、クライアント端末１０は、いずれかのアプリケーションプログラム上で、ユーザの印刷指示操作を受け付けると、プリンタドライバ１００を呼び出す。
プリンタドライバ１００は、アプリケーションプログラムから呼び出されると、Ｓ１１０の処理に移行する。
【００２９】
ステップ１１０（Ｓ１１０）において、プリンタドライバ１００の呼出検知部１０２は、アプリケーションプログラムからの呼出しを検知すると、当該アプリケーションプログラムで開かれているファイルのファイル名（拡張子を含む）と、ユーザＩＤとを特定し、特定されたファイル名及びユーザＩＤを指示受付部１０４に出力する。すなわち、本例では、ファイル名に含まれる拡張子によって、アプリケーションプログラムが特定される。
【００３０】
ステップ１２０（Ｓ１２０）において、指示受付部１０４は、図３に例示する受付画面９００をモニタ上に表示して、ユーザの指示を受け付ける。
ステップ１３０（Ｓ１３０）において、プリンタドライバ１００は、ユーザの指示が印刷指示である場合に、Ｓ１５０の処理に移行し、ユーザの指示が操作指示である場合に、Ｓ１４０の処理に移行する。印刷指示であるか操作指示であるかは、ジョブ操作メニュー９０２（図３）において選択されたメニューによって判断される。
【００３１】
ステップ１４０（Ｓ１４０）において、操作命令生成部１０８は、ユーザからの操作指示に応じて、操作ジョブを生成し、生成された操作ジョブをジョブ送信部１１０に出力する。
【００３２】
ステップ１５０（Ｓ１５０）において、ジョブ生成部１０６は、ユーザからの印刷指示に応じて、印刷ジョブを生成し、生成された印刷ジョブをジョブ送信部１１０に出力する。
【００３３】
ステップ１６０（Ｓ１６０）において、ジョブ送信部１１０は、操作命令生成部１０８又はジョブ生成部１０６から入力されたジョブファイル（印刷ジョブ又は操作ジョブ）をプリントサーバ２０に送信する。
【００３４】
次に、プリントサーバ２０の動作を説明する。
図７は、プリントサーバ２０の動作（Ｓ２０）を例示するフローチャートである。
図７に示すように、ステップ２００（Ｓ２００）において、ジョブ受信部２０２は、クライアント端末１０（ジョブ送信部１１０）から、ジョブファイル（印刷ジョブ又は操作ジョブ）を受信すると、受信したジョブファイルをジョブ管理部２０４に出力する。
サーバプログラム２００は、ジョブファイルを受信すると、Ｓ２１０の処理に移行する。
【００３５】
ステップ２１０（Ｓ２１０）において、ジョブ管理部２０４は、ジョブ受信部２０２から入力されたジョブファイルが印刷ジョブであるか操作ジョブであるかを判断し、印刷ジョブである場合に、当該印刷ジョブをジョブ保持部２０６に出力し、操作ジョブである場合に、当該操作ジョブをジョブ操作部２０８に出力する。ジョブ受信部２０２から入力されたジョブファイルが印刷ジョブであるか操作ジョブであるかを判断する際には、ジョブ管理部２０４は、ジョブファイルの内容を解析し、図５（Ａ）乃至（Ｃ）に示すようなジョブ操作のための命令が付加されている場合、入力されたジョブファイルは操作ジョブであると判断する。
【００３６】
ステップ２２０（Ｓ２２０）において、サーバプログラム２００は、ジョブファイルが印刷ジョブである場合に、Ｓ２５０の処理に移行し、ジョブファイルが操作ジョブである場合に、Ｓ２３０の処理に移行する。
【００３７】
ステップ２３０（Ｓ２３０）において、ジョブ操作部２０８は、ジョブ管理部２０４から入力された操作ジョブの中から、ユーザＩＤ及びファイル名（拡張子を含む）を抽出し、ジョブ保持部２０６に保持されている印刷ジョブ（ジョブリスト）の中から、抽出されたユーザＩＤ及びファイル名が一致する印刷ジョブを検索する。
【００３８】
ステップ２４０（Ｓ２４０）において、ジョブ操作部２０８は、検索によって発見された印刷ジョブ（すなわち、ユーザＩＤ及びファイル名が一致する先行ジョブ）に対して、操作ジョブに含まれる操作命令に応じた操作を施す。
【００３９】
ステップ２５０（Ｓ２５０）において、ジョブ保持部２０６は、ジョブ管理部２０４から入力された印刷ジョブをジョブリストに追加して、当該印刷ジョブをプリンタ３０により処理されるまで保持する。
【００４０】
以上説明したように、本実施形態の画像形成システム１によると、ユーザは先行ジョブを生成したときと同じ受付画面９００で、この先行ジョブに対する操作指示を行うことが可能となる。
【図面の簡単な説明】
【００４１】
【図１】画像形成システム１を例示する図である。
【図２】プリンタドライバ１００及びサーバプログラム２００の機能構成を例示する図である。
【図３】指示受付部１０４により表示される受付画面９００を例示する図である。
【図４】各操作ジョブに含まれる情報を例示する図である。
【図５】操作命令生成部１０８により生成される操作ジョブを例示する図である。
【図６】クライアント端末１０の動作（Ｓ１０)を例示するフローチャートである。
【図７】プリントサーバ２０の動作（Ｓ２０）を例示するフローチャートである。
【符号の説明】
【００４２】
１・・・画像形成システム
１０・・・クライアント端末
１００・・・プリンタドライバ
１０２・・・呼出検知部
１０４・・・指示受付部
１０６・・・ジョブ生成部
１０８・・・操作命令生成部
１１０・・・ジョブ送信部
２０・・・プリントサーバ
２００・・・サーバプログラム
２０２・・・ジョブ受信部
２０４・・・ジョブ管理部
２０６・・・ジョブ保持部
２０８・・・ジョブ操作部
３０・・・プリンタ
【図１】
2009230379.tif 000003
【図２】
2009230379.tif 000004
【図３】
2009230379.tif 000005
【図４】
2009230379.tif 000006
【図５】
2009230379.tif 000007
【図６】
2009230379.tif 000008
【図７】
2009230379.tif 000009